(57)【要約】散布される材料のための通過流開口部を封鎖および解放する調量ピストンを有する砂の散布器械のための調量装置において、調量ピストンと、通路穴部の対向するハウジング壁部とは、散布材料のラビリンス状の放流をもたらすために、互いに重なり合う輪郭部を有する。
2005505729.tif 000002
【特許請求の範囲】
【請求項１】
砂の散布器械のための調量装置、特にホイールとレールとの間に材料を散布するのに適用されるレール車両のための調量装置であって、通過流路を調節するために可動な調量ピストンを使用する調量装置において、
ラビリンス状の部分が通路穴部に提供されることを特徴とする、調量装置。
【請求項２】
前記ラビリンス状の部分は、通過流の方向に対して横断して延在することを特徴とする、請求項１に記載の調量装置。
【請求項３】
前記ラビリンス状の部分は、前記調量ピストン（１）のシール面（２）の輪郭部（５）および／または砂の通路開口部（３）の対向する壁部（４）により形成されることを特徴とする、請求項１に記載の調量装置。
【請求項４】
ハウジング（４）および前記調量ピストン（２）のそれぞれにシール輪郭部（５および６）が配置されることにより、前記調量ピストンの開放行程の間で、前記ハウジング輪郭部（６）と前記シール輪郭部（５）との間に重なり合う部分が提供されることを特徴とする、請求項３に記載の調量装置。
【請求項５】
前記ハウジング（４）および前記調量ピストン（２）のそれぞれに前記シール輪郭部（５および６）が配置されることにより、調量ピストン最大開放行程で、前記ハウジング輪郭部（６）と前記シール輪郭部（５）との間に重なり合う部分が提供されることを特徴とする、請求項４に記載の調量装置。
【発明の詳細な説明】
【技術分野】
【０００１】
本発明は、砂を散布する器械のための調量装置、特に、ホイール（車輪）とレールの間に砂を散布するためのレール車両のための調量装置に関する。
【背景技術】
【０００２】
このタイプの知られている砂の散布器械においては、砂は、砂の供給タンクから、通過流のボアホール（穿孔）を有するハウジングを通してホイールへ流れ、砂の通過流量または通過流噴射量は、調量ピストンにより制御され、該調量ピストンは、電気式、気体式または他の方法で制御され、零から所定値までの通過流開放を調節する。調量ピストンが閉鎖されるとき、調量ピストンは、端部シールにより、通過流のボアホールの開口部の縁上に置かれ、調量ピストンが引き戻されるとき、ボアホールの開口部を開放する。開放ギャップ（間隙）は、必要とされる最小ギャップを埋めてしまうことを回避するために、使用される粒の粗い砂に対して役割を果たすように予め調節され、よって、環状の開放ギャップと関係して、ランダムな砂の量を必然に予め決める。しかし、このシステムは、ある特定の砂の要求、特に気体式制御の砂の要求を完全に満たすことはない、なぜなら、砂の量は、比較的に大きな許容差を有してのみ調節可能され、幾つかの場合において知られているシステムでは、規定された少量の砂が、満足のいくように、もたらされることができない。
【発明の開示】
【発明が解決しようとする課題】
【０００３】
本発明の課題は、少量の砂の供給をも調節可能にする手段を提供することである。
【課題を解決するための手段】
【０００４】
この課題は、本発明に基づき、ラビリンス状（迷路状）の部分が通過流路または通路穴部において提供されることにより解決される。
【０００５】
本発明のもう一つの特徴においては、ラビニンス状の部分は、通過流の方向に対して横断して延在する。
【０００６】
本発明のもう一つの特徴においては、ラビニンス状の部分は、調量ピストンのシール面上の輪郭部および／または砂の通路開口部の対向する壁部により創り出される。
【０００７】
本発明のもう一つの特徴においては、ハウジングおよび調量ピストンのそれぞれにシール輪郭部が配置されることにより、調量ピストンの最大開放行程で、ハウジング輪郭部とシール輪郭部との間に重なり合う部分が提供される。
【０００８】
さらなる本発明の特徴は、図面を参照して、さらに詳細に説明される。
【発明を実施するための最良の形態】
【０００９】
図１および図２においては、調量ピストンが１で示され、調量ピストンシールが２で示され、砂の通路穴部が３で示され、該砂の通路穴部３が中に配置されるハウジングが４で示される。調量ピストンが閉鎖されるとき、調量ピストンシール２は、通路穴部３の流出縁上に置かれる。調量ピストン１が図２に示される開放位置になると、環状の通過流路とともに環状の開放ギャップａが形成される。
【００１０】
図４から図８の本発明に基づく調量ピストンにおいては、調量ピストンシール２は、ハウジング壁部４上の対応する輪郭部６と向かい合う環状の突出輪郭部５を備え、調量ピストンシール２の輪郭部５は、ハウジング４の輪郭部６を囲み、これらの二つの輪郭部は、図５および図６に示すような調量ピストンが開放している状態においてでさえも、適度に重なりあう部分を形成し、よって、ラビリンス（迷路）状の砂の流出開口部７をもたらす。
【００１１】
本発明に基づく砂の通路開口部においては、ハウジング内で調量および遮断開口部の穴部として、もともと形成された開口部が、スリット状の断面に変えられ、これにより、より下側の砂の放出領域内に形成される砂の放出開口部が、調量ピストンの開放行程の役割を果たす表面において、一様に線状に変えられる利点がもたらされる。
【００１２】
調量および遮断装置のハウジング内の砂の通路開口部のスリット幅は、最小量の砂に関連して最小限に減じられ、スリット長は、最大量の砂に関連して適合され、考えられる典型的な砂のグレードにおける量的許容内で、確実な砂の放出がもたらされる。
【００１３】
調量ピストンの調節される開放行程と関連するスリット幅（調量ピストンシール面からハウジングシール面までの距離）は、有効な砂の放出開口部を決定する。また、スリット幅は、インジェクター（ｉｎｊｅｃｔｏｒ）機能と協働する吸引面を本質的に形成する。
【００１４】
図６に示されるように、輪郭部の典型的な形態は、先が尖って外側に延在する三角形状断面を有する環状であることができる。しかし、一様なリングまたは中断されたリングのような任意の他の輪郭形態も可能である。
【００１５】
本発明における調量装置により、滑りバルブにおいて発生するような摩損およびエネルギー消費がなく、直線的に動かされる滑りバルブのような砂の量の連続する調節が可能となる。
【図面の簡単な説明】
【００１６】
【図１】調量ピストンが閉鎖状態にある、知られている調量ピストンシールシステムを示す図である。
【図２】調量ピストンが開放状態にある、知られている調量ピストンシールシステムを示す図である。
【図３】調量ピストンが閉鎖状態にある、本発明に基づく調量ピストンシールシステムを示す図であって、互いに直交する二つの断面における一方の断面を示す図である。
【図４】調量ピストンが閉鎖状態にある、本発明に基づく調量ピストンシールシステムを示す図であって、互いに直交する二つの断面における他方の断面を示す図である。
【図５】調量ピストンが開放状態にある、本発明に基づく調量ピストンシールシステムを示す図であって、互いに直交する二つの断面における一方の断面を示す図である。
【図６】調量ピストンが開放状態にある、本発明に基づく調量ピストンシールシステムを示す図であって、互いに直交する二つの断面における他方の断面を示す図である。
【図７】調量ピストンの垂直断面図である。
【図８】図７の線VIII-VIIIに沿った断面図である。
【国際公開パンフレット】
2005505729.tif 000003
2005505729.tif 000004
2005505729.tif 000005
2005505729.tif 000006
2005505729.tif 000007
2005505729.tif 000008
2005505729.tif 000009
2005505729.tif 000010
【国際調査報告】
2005505729.tif 000011
2005505729.tif 000012
2005505729.tif 000013
2005505729.tif 000014